(57)【要約】【課題】デフェクト状態の検出精度の向上【解決手段】ＲＦ信号から得られた検出最大値が減少方向にある場合は、検出最大値から所要の減算値を減算した減算結果値を最大値とし、ＲＦ信号から得られた検出最小値が増加方向にある場合は検出最小値から所要の加算値を加算した加算結果値を最小値とすると共に、上記最大値から、上記最小値を減算することにより、ＲＦ信号の振幅レベルを示すＲＦ振幅値を求めるようにする。そして、これと共に、ＲＦ信号の振幅の中心値が、所定レベルを超えて増加或いは減少するのに応じて、上記減算値、又は上記加算値を可変設定するようにする。これにより、ＲＦ信号の振幅レベルが最大値側又は最小値側に偏って低下した場合におけるデフェクト検出精度をより向上させることができる。【選択図】　　　　図５
2004071045.tif 000002
【特許請求の範囲】
【請求項１】
記録媒体に対する信号読み出し動作によって得られるＲＦ信号の最大値を検出することにより、検出最大値を得る最大値検出手段と、
上記ＲＦ信号の最小値を検出することにより検出最小値を得る最小値検出手段と、
上記最大値検出手段により得られる検出最大値が減少方向にあるとされた場合に、該検出最大値から所要の減算値を減算した減算結果値を求め、該減算結果値を上記ＲＦ信号の最大値として出力する最大値出力手段と、
上記最小値検出手段により得られる検出最小値が増加方向にあるとされた場合に、該検出最小値から所要の加算値を加算した加算結果値を求め、該加算結果値を上記ＲＦ信号の最小値として出力する最小値出力手段と、
上記最大値出力手段により出力された最大値から、上記最小値出力手段により出力された最小値を減算することにより、上記ＲＦ信号の振幅レベルを示すＲＦ振幅値を算出する振幅レベル算出手段と、
上記振幅レベル算出手段により算出されたＲＦ振幅値と、所定閾値とを比較することにより、デフェクト状態の検出を行うデフェクト検出手段と、
上記最大値検出手段により得られた検出最大値と、上記最小値検出手段により得られた検出最小値とに基づき、上記ＲＦ信号の振幅の中心値を算出する中心値算出手段と、
上記中心値算出手段により算出された上記中心値のレベルに応じて、上記最大値出力手段における上記減算値、及び上記最小値出力手段における上記加算値を可変設定する可変値設定手段と、
を備えるようにしたことを特徴とするデフェクト検出装置。
【請求項２】
上記可変値設定手段は、
上記中心値算出手段により算出された上記中心値が所定の閾値よりも小さくなるのに応じては、上記最大値格納手段における上記減算値をより大きい値に可変設定し、上記中心値が所定の閾値よりも大きくなるのに応じては、上記最小値格納手段における上記加算値をより大きい値に可変設定するように構成されている、
ことを特徴とする請求項１に記載のデフェクト検出装置。
【請求項３】
記録媒体に対する信号読み出し動作によって得られるＲＦ信号の最大値を検出することにより、検出最大値を得る最大値検出手順と、
上記ＲＦ信号の最小値を検出することにより検出最小値を得る最小値検出手順と、
上記最大値検出手順により得られる検出最大値が減少方向にあるとされた場合に、該検出最大値から所要の減算値を減算した減算結果値を求め、該減算結果値を上記ＲＦ信号の最大値として出力する最大値出力手順と、
上記最小値検出手順により得られる検出最小値が増加方向にあるとされた場合に、該検出最小値から所要の加算値を加算した加算結果値を求め、該加算結果値を上記ＲＦ信号の最小値として出力する最小値出力手順と、
上記最大値出力手順により出力された最大値から、上記最小値出力手順により出力された最小値を減算することにより、上記ＲＦ信号の振幅レベルを示すＲＦ振幅値を算出する振幅レベル算出手順と、
上記振幅レベル算出手順により算出されたＲＦ振幅値と、所定閾値とを比較することにより、デフェクト状態の検出を行うデフェクト検出手順と、
上記最大値検出手順により得られた検出最大値と、上記最小値検出手段により得られた検出最小値とに基づき、上記ＲＦ信号の振幅の中心値を算出する中心値算出手順と、
上記中心値算出手順により算出された上記中心値のレベルに応じて、上記最大値出力手順により減算する上記減算値、及び上記最小値出力手順により加算する上記加算値を可変設定する可変値設定手順と、
を実行することを特徴とするデフェクト検出方法。
【発明の詳細な説明】
【０００１】
【発明の属する技術分野】
本発明は、例えば装填されたディスク記録媒体の信号面上の傷や付着物等により記録信号が正常に読み出されない状態である、所謂デフェクト（ＤＥＦＥＣＴ）状態を検出するためのデフェクト検出装置、及びこのデフェクト検出装置におけるデフェクト検出方法に関するものである。
【０００２】
【従来の技術】
例えば、ＣＤ（Ｃｏｍｐａｃｔ　ｄｉｓｃ）やＤＶＤ（Ｄｉｇｉｔａｌ　Ｖｅｒｓａｔｉｌｅ　Ｄｉｓｃ）等の光ディスクに記録されたデジタルデータについての再生を行うことのできるディスク再生装置が広く普及している。
このようなディスク再生装置において、装填された光ディスクの信号面上に傷や付着物があった場合は、光ディスクに記録された信号を正常に読み取ることができなくなることがある。そして、これに伴っては、読み出した信号を正確に認識できなくなり、正常なデータ再生を行うことができなくなってしまう。
【０００３】
このような場合、ディスクに対して照射したレーザ光の反射光を検出して得られる再生ＲＦ信号としては、当然、その振幅レベルが小さくなる。このため、再生装置側では、上記のようなディスク上の傷等により再生ＲＦ信号の振幅レベルが所定値以上得られない状態を、所謂デフェクト（ＤＥＦＥＣＴ）状態として検出するようにされる。そして、その上で、このようなデフェクト状態を検出することにより、ディスクからのデータ読み出しが正確に行われていないとされる状態にあることを各部に認識させるようにし、これに応じた必要な制御動作を行うようにされている。
【０００４】
ところで、このようなデフェクト状態の検出を行う際には、先ず、入力されたＲＦ信号中における最大値、及び最小値を検出する必要がある。そして、検出された最大値から最小値を減算することにより、ＲＦ信号の振幅レベルを求めることができる。その上で、この振幅レベルがデフェクト閾値として設定される所定レベルを下回ったか否かを判別することで、デフェクト状態の検出を行うことができる。
【０００５】
ここで、このようにしてデフェクト状態の検出を行うにあたり、上記のようにしてＲＦ信号から検出される最大値、及び最小値をそのまま利用すると、例えばＲＦ信号の振幅が突発的に変化した場合に、これら最大値、最小値がこの変化にそのまま追従してしまう。そして、これに伴っては、これら最大値及び最小値から算出する振幅レベルとしても、このようなレベル変動に対してそのまま追従してしまうこととなる。
従って、このようにしてＲＦ信号から検出される最大値、最小値をそのまま利用したデフェクト検出を行うことによっては、例えばＲＦ信号の振幅レベルが単に突発的に低下した場合にもデフェクト状態が検出されてしまい、結果的にデフェクト状態の誤検出を誘発することとなる。
このため、従来においては、このようなデフェクト状態の誤検出を防止するために、上記最大値、最小値を実際のＲＦの振幅レベルの変化に対して緩やかに追従させるようにしている。
【０００６】
図１０は、従来のデフェクト検出回路１００の内部構成を示すブロック図である。
図１０において、先ず、このデフェクト検出回路１００に対しては、ディスク信号面に照射されたレーザ光の反射光を検出して得られる再生ＲＦ信号が供給される。そして、この再生ＲＦ信号は、図示するＡ／Ｄ変換器１０５においてデジタルデータに変換されて、最大値ホールド回路１０６、及び最小値ホールド回路１１１に対して供給される。
【０００７】
最大値ホールド回路１０６は、このようにしてＡ／Ｄ変換器１０５より供給されるＲＦ信号中の一定区間ごとの最大値を検出すると共に、検出された最大値を区間最大値としてホールドする。そして、このようにホールドした区間最大値を所定タイミングで以て最大値セレクタ１０７、及び最大値比較回路１０９に対して出力する。
【０００８】
最大値セレクタ１０７には、上記最大値ホールド回路１０６より出力された区間最大値、及び後述するようにして減算回路１１０より出力される減算結果値が入力される。また、これと共にこの最大値セレクタ１０７には、後述する最大値比較回路１０９からの比較結果信号も入力される。
この最大値セレクタ１０７は、最大値比較回路１０９より入力される比較結果信号に応じ、入力された区間最大値、減算結果値の何れか一方を、最大値格納回路１０８に対して選択出力する。
【０００９】
最大値格納回路１０８は、最大値セレクタ１０７より出力された区間最大値、或いは減算結果値を入力し、これを格納する。そして、このようにして格納した値を所定タイミングで以て出力することにより、上記格納した区間最大値或いは減算結果値を、図示する値Ｐｅａｋとして減算器１１７に対して出力する。また、このようにして最大値格納回路１０８より出力された値Ｐｅａｋは、最大値比較回路１０９、及び減算回路１１０に対しても供給される。
【００１０】
減算回路１１０には、内部に固定値「α」が設定される。そして、この減算回路１１０では、上記のようにして最大値格納回路１０８より入力された値Ｐｅａｋから、この固定値「α」を減算し、これにより算出された値を減算結果値として最大値セレクタ１０７に対して出力する。
【００１１】
最大値比較回路１０９は、上記最大値格納回路１０８より供給された値Ｐｅａｋと、先に説明したようにして最大値ホールド回路１０６より供給される区間最大値とを比較する。つまり、この最大値比較回路１０９では、最大値ホールド回路１０６における現在の検出区間において検出された区間最大値（現在の最大値）と、この現在の検出区間からみて１つ前の検出区間に対応して最大値格納回路１０８より出力された値Ｐｅａｋ（１つ前の最大値）とを比較することとなる。そしてこれにより、この最大値比較回路１０９では、ＲＦ信号における現在の最大値が、１つ前の最大値に対して増加しているか、或いは減少しているのかを判別しようとするものである。
【００１２】
この最大値比較回路１０９は、上記最大値ホールド回路１０６より供給される区間最大値が、上記最大値格納回路１０８より供給される値Ｐｅａｋ以上であると判別した場合は、先に説明した最大値セレクタ１０７に対し、区間最大値を選択出力させるための比較結果信号を出力する。すなわち、上記最大値ホールド回路１０６より供給される現在の最大値が、最大値格納回路１０８より供給された１つ前の最大値以上になっているとされた場合は、最大値ホールド回路１０６によりホールドされている区間最大値を値Ｐｅａｋとして選択出力させるようにするものである。
一方、上記区間最大値の方が、上記値Ｐｅａｋよりも小さいと判別した場合は、最大値セレクタ１０７に対し、上記減算回路１１０からの減算結果値を選択出力させるための比較結果信号を出力する。すなわち、ＲＦ信号における現在の最大値の方が、１つ前の最大値よりも減少しているとされた場合は、上記減算回路１１０からの減算結果値を選択出力させるようにするものである。
【００１３】
ここで、上記説明によれば、ＲＦ信号の最大値が増加方向にある場合には、上記最大値格納回路１０８からは、値Ｐｅａｋとして最大値ホールド回路１０６により検出された区間最大値が出力されることとなる。これに対し、ＲＦ信号の最大値が減少方向にある場合には、上記値Ｐｅａｋとして、１つ前に出力された値Ｐｅａｋから固定値「α」が減算された値（減算結果値）が出力されるようになる。
つまり、この場合、ＲＦ信号の最大値が減少方向にあるときには、上記最大値格納回路１０８から出力される値Ｐｅａｋとしては、一定の減少率で以て減少していくようにされるものとなる。
【００１４】
最小値ホールド回路１１１は、上記Ａ／Ｄ変換器１０５より供給されるＲＦ信号中の一定区間ごとの最小値を検出すると共に、検出された最小値を区間最小値としてホールドする。そして、このようにホールドした区間最小値を所定タイミングで以て最小値セレクタ１１２、及び最小値比較回路１１４に対して出力する。
【００１５】
最小値セレクタ１１２には、上記最小値ホールド回路１１１より出力された区間最小値、及び後述するようにして加算回路１１５より出力される加算結果値が入力される。また、この最小値セレクタ１１２には、後述する最小値比較回路１１４からの比較結果信号も入力される。
この最小値セレクタ１１２は、最小値比較回路１１４より入力される比較結果信号に応じ、入力された区間最小値、加算結果値の何れか一方を、最小値格納回路１１３に対して選択出力する。
【００１６】
最小値格納回路１１３は、上記のようにして最小値セレクタ１１２より出力された区間最小値、或いは加算結果値を入力し、これを格納する。そして、このようにして格納した値を所定タイミングで以て出力することにより、上記格納した区間最小値或いは加算結果値を、図示する値Ｂｏｔｔｏｍとして減算器１１７、最小値比較回路１１４、及び加算回路１１５に対して供給する。
【００１７】
加算回路１１５には、内部に固定値「β」が設定される。そして、この加算回路１１５では、上記最小値格納回路１１３より供給された値Ｂｏｔｔｏｍに対し、この値「β」を加算し、これにより算出された値を加算結果値として最小値セレクタ１１２に対して出力する。
【００１８】
最小値比較回路１１４は、上記最小値格納回路１１３より供給された値Ｂｏｔｔｏｍと、先に説明したようにして最小値ホールド回路１１１より供給される区間最小値とを比較する。つまり、この最小値比較回路１１４では、最小値ホールド回路１１１における現在の検出区間において検出された区間最小値（現在の最小値）と、この現在の検出区間からみて１つ前の検出区間に対応して最小値格納回路１１３より出力された値Ｂｏｔｔｏｍ（１つ前の最小値）とを比較することとなる。そしてこれにより、この最小値比較回路１１４では、ＲＦ信号における現在の最小値が、１つ前の最小値に対して増加しているか、或いは減少しているのかを判別しようとするものである。
【００１９】
この最小値比較回路１１４は、上記最小値ホールド回路１１１より供給された区間最小値が、上記最小値格納回路１１３より供給された値Ｂｏｔｔｏｍ以下であると判別した場合は、先に説明した最小値セレクタ１１２に対し、区間最小値を選択出力させるための比較結果信号を出力する。すなわち、上記最小値ホールド回路１１１より供給される現在の最小値が、最小値格納回路１１３より供給された１つ前の最小値以下になっているとされた場合は、最小値ホールド回路１１１によりホールドされている区間最小値を値Ｂｏｔｔｏｍとして選択出力させるようにするものである。
一方、上記区間最小値の方が、上記値Ｂｏｔｔｏｍよりも大きいと判別した場合は、最小値セレクタ１１２に対し、上記加算回路１１５からの加算結果値を選択出力させるための比較結果信号を出力する。すなわち、ＲＦ信号における現在の最小値の方が、１つ前の値よりも増加しているとされた場合は、上記加算回路１１５からの加算結果値を選択出力させるようにするものである。
【００２０】
ここで、上記説明によれば、ＲＦ信号の最小値が減少方向にある場合は、上記最小値格納回路１１３からは、値Ｂｏｔｔｏｍとして最小値ホールド回路１１１により検出された区間最大値が出力されることとなる。これに対し、ＲＦ信号の最大値が増加方向にある場合には、上記値Ｂｏｔｔｏｍとして、１つ前に出力された値Ｂｏｔｔｏｍに対して固定値「β」が加算された値（加算結果値）が出力されるようになる。
つまり、この場合、ＲＦ信号の最小値が増加方向にあるときには、上記最小値格納回路１１３から出力される値Ｂｏｔｔｏｍとしては、一定の増加率で以て増加していくようにされるものとなる。
【００２１】
減算器１１７は、最大値格納回路１０８から出力された値Ｐｅａｋ、及び最小値格納回路１１３から出力された値Ｂｏｔｔｏｍを入力し、値Ｐｅａｋから値Ｂｏｔｔｏｍを減算する。そして、このようにして算出した値を図示する値Ｐｅａｋ−Ｂｏｔｔｏｍとしてデフェクト判定回路１１９に対して出力する。
【００２２】
デフェクト判定回路１１９では、上記減算器１１７より入力した値Ｐｅａｋ−Ｂｏｔｔｏｍと、図示するデフェクト閾値１１８とを比較することにより、デフェクト状態の検出を行う。
このデフェクト判定回路１１９は、例えば上記値Ｐｅａｋ−Ｂｏｔｔｏｍが上記デフェクト閾値１１８の値以下となるのに応じ、図示する信号ＤＥＦＥＣＴとしてＨレベルを出力するようにされる。
【００２３】
上記のようにして構成される従来のデフェクト検出回路１００において得られる動作を、図１１及び図１２を用いて説明する。
先ず、図１１に、デフェクト検出回路１００において得られる動作として、ＲＦ信号における最大値側、最小値側の双方の振幅レベルが小さくなった場合について説明する図を示す。
【００２４】
図１１において、先ず、図示するようにしてＲＦ信号の最大値側の振幅レベルが小さくなっていくことによっては、図１０に示した最大値ホールド回路１０６において検出される区間最大値も減少していくこととなる。
これによっては、最大値比較回路１０７において、値Ｐｅａｋよりも、現在最大値ホールド回路１０６においてホールドされる区間最大値の方が小さいことが判別され、最大値セレクタ１０７には、減算回路１１０からの減算結果値を選択出力するための比較結果信号が入力されるようになる。
そして、これに伴っては、最大値セレクタ１０７からは、上記減算結果値が出力されるようになり、最大値格納回路１０８から出力される値Ｐｅａｋとしても、この減算結果値が出力されるようになる。
つまり、先にも説明したように、ＲＦ信号の最大値が減少方向にある（ＲＦ信号の最大値側の振幅レベルが小さくなっていく）場合には、値Ｐｅａｋとして、１つ前に出力された値Ｐｅａｋから固定値「α」が減算された値が出力されるようになるものである。
【００２５】
ここで、このようにして１つ前に出力された値Ｐｅａｋから固定値「α」が減算された値が出力されることによっては、図示するように値Ｐｅａｋとしては、その傾きが上記固定値「α」に応じた一定の傾きを有して減少していくこととなる。
つまり、この場合の値Ｐｅａｋとしては、１つ前の最大値（１つ前の検出区間に対応して出力された値Ｐｅａｋ）から、次に検出された区間最大値への値の減少幅にかかわらず、固定値「α」に応じた一定の傾きを有して減少するようにされている。
このため、この値Ｐｅａｋとしては、上記のようにしてＲＦ信号の最大値側の振幅レベルが小さくなっていく方向にある場合は、図のようにして実際のＲＦ信号の最大値レベルに緩やかに追従するものとなる。
【００２６】
なお、この値Ｐｅａｋとしては、先にも説明したようにＲＦ信号の最大値が増加方向にある場合は、最大値ホールド回路１０６により検出される区間最大値が選択出力されるようになる。このため、図示するようにしてＲＦ信号の最大値が増加方向となった場合（ＲＦ信号の最大値側の振幅レベルが大きくなっていく方向にある場合）は、この値Ｐｅａｋは、ＲＦ信号の最大値レベルの変動にほぼ追従するものとなる。
【００２７】
また、この図１１において、ＲＦ信号の最小値側の振幅レベルが小さくなっていくことによっては、図１０に示した最小値ホールド回路１１１において検出される区間最小値が増加していくこととなる。
これによっては、最小値比較回路１１２において、値Ｂｏｔｔｏｍの方が、現在最小値ホールド回路１１１においてホールドされる区間最小値よりも大きいことが判別され、最小値セレクタ１１２には、加算回路１１５からの加算結果値を選択出力するための比較結果信号が入力されるようになる。
そして、これに伴っては、最小値セレクタ１１２からは、上記加算結果値が選択出力されるようになり、最小値格納回路１１３から出力される値Ｂｏｔｔｏｍとしても、この加算結果値が出力されるようになる。
つまり、この場合も、ＲＦ信号の最小値が増加方向にある（ＲＦ信号の最小値側の振幅レベルが小さくなっていく）場合には、値Ｂｏｔｔｏｍとして、１つ前に出力された値Ｂｏｔｔｏｍに対して固定値「β」が加算された値が出力されるようになるものである。
【００２８】
ここで、このようにして１つ前に出力された値Ｂｏｔｔｏｍに固定値「β」が加算された値が出力されることによっては、図示するように値Ｂｏｔｔｏｍとしては、その傾きが上記固定値「β」に応じた一定の傾きを有して増加していくこととなる。
つまり、この場合の値Ｂｏｔｔｏｍとしては、１つ前の最小値（１つ前の検出区間に対応して出力された値Ｂｏｔｔｏｍ）から、次に検出された区間最小値への値の増加幅にかかわらず、固定値「β」に対応する一定の傾きを有して増加するようにされている。
従って、この場合も、上記値Ｂｏｔｔｏｍとしては、上記のようにしてＲＦ信号の最小値側の振幅レベルが小さくなっていく方向にある場合（最小値が増加する方向にある場合）は、図のようにして実際のＲＦ信号の最小値レベルに緩やかに追従するものとなる。
【００２９】
なお、この値Ｂｏｔｔｏｍとしては、先にも説明したようにＲＦ信号の最小値が減少方向にある場合は、最小値ホールド回路１１１により検出される区間最小値が選択出力されるようになる。このため、図示するようにしてＲＦ信号の最小値が減少方向となった場合（ＲＦ信号の最小値側の振幅レベルが大きくなっていく方向にある場合）は、この値Ｂｏｔｔｏｍは、実際のＲＦ信号の最小値レベルの変動にほぼ追従するものとなる。
【００３０】
このようにして生成される値Ｐｅａｋ、及び値Ｂｏｔｔｏｍが、先に図１０にて説明したようにして減算器１１７に対して供給され、値Ｐｅａｋから値Ｂｏｔｔｏｍが減算されることで、図示するようなＲＦ信号の振幅レベルを示す値Ｐｅａｋ−Ｂｏｔｔｏｍが得られるようになる。
そして、この値Ｐｅａｋ−Ｂｏｔｔｏｍが、図示するようにしてデフェクト閾値１１８に設定された値よりも下回った場合は、デフェクト判定回路１１９により信号ＤＥＦＥＣＴとしてＨレベルが出力されるようになる（図中ＤＥＦＥＣＴ検出期間）。つまり、このように値Ｐｅａｋ−Ｂｏｔｔｏｍがデフェクト閾値よりも下回り、ＲＦ信号の振幅がデフェクト状態であるとみなしてもよい程度に小さくなったことに応じ、デフェクト状態が検出されるようになるものである。
【００３１】
続いて、図１２に、ＲＦ信号の片側のみの振幅レベルが小さくなった場合に対応して得られる、デフェクト検出回路１００におけるデフェクト検出動作例を示す。
この図１２において、図１２（ａ）は、ＲＦ信号の最大値側の振幅レベルのみが小さくなった場合について説明する図である。
先ず、この場合、ＲＦ信号の最小値側の振幅レベルに変動はないため、図示するように値Ｂｏｔｔｏｍのレベルとしてはほぼ一定となる。つまり、この場合は、ＲＦ信号の最大値側の振幅レベルの変動に応じて、値Ｐｅａｋのみが変動するようにされるため、Ｐｅａｋ−Ｂｏｔｔｏｍとしては、図示するように値Ｐｅａｋとほぼ同等に遷移することとなる。
【００３２】
従って、この場合の値Ｐｅａｋ−Ｂｏｔｔｏｍのレベルの変化は、値Ｐｅａｋのレベル変化に依存するようになり、固定値「α」に応じた傾きを有して減少していくものとなる。
そして、このようにして減少する値Ｐｅａｋ−Ｂｏｔｔｏｍが、図示するようにデフェクト閾値を下回るのに応じ、デフェクト状態が検出されることとなる（図中ＤＥＦＥＣＴ検出期間）。
【００３３】
図１２（ｂ）は、ＲＦ信号の最大値側の振幅レベルのみが小さくなった場合について説明する図である。
この場合は、上記図１２（ａ）の場合とは逆に、ＲＦ信号の最小値側の振幅レベルのみが変動するものとなるため、値Ｐｅａｋ−Ｂｏｔｔｏｍとしては、値Ｂｏｔｔｏｍの増加幅とほぼ同等の幅で以て減少するようにされる。
つまり、この場合の値Ｐｅａｋ−Ｂｏｔｔｏｍは、固定値「β」に応じた傾きを有して減少していくものとなる。
そして、この場合も、このようにして減少していく値Ｐｅａｋ−Ｂｏｔｔｏｍが、図示するようにデフェクト閾値を下回るのに応じ、デフェクト状態が検出されることとなる（図中ＤＥＦＥＣＴ検出期間）。
【００３４】
【発明が解決しようとする課題】
上記説明からも理解されるように、従来のデフェクト検出回路１００では、値Ｐｅａｋを固定値「α」に応じた減少率で以て減少させていくことにより、ＲＦ信号の最大値側の振幅レベルの低下に対して緩やかに追従するようにしている。また、同様に、値Ｂｏｔｔｏｍを固定値「β」に応じた増加率で以て増加させていくことにより、ＲＦ信号の最小値側の振幅レベルの低下に対しても緩やかに追従するようにしている。
その上で、値Ｐｅａｋから値Ｂｏｔｔｏｍを減算して、ＲＦ信号の振幅レベルを示す値Ｐｅａｋ−Ｂｏｔｔｏｍを求めることにより、この値Ｐｅａｋ−Ｂｏｔｔｏｍを実際のＲＦ信号の振幅レベルの低下に緩やかに追従させるようにしている。
【００３５】
ここで、このような従来のデフェクト検出回路１００において、先に図１１に示したようにしてＲＦ信号の最大値側及び最小値側の双方の振幅レベルが小さくなった場合は、値Ｐｅａｋが減少し且つ値Ｂｏｔｔｏｍが増加することにより、最大値側、及び最小値側の双方からＲＦ信号の振幅レベルの低下に追従することができる。
従って、この場合の値Ｐｅａｋ−Ｂｏｔｔｏｍとしては、実際のＲＦの振幅レベルの低下にほぼ対応して追従することができ、比較的正確にデフェクト状態の検出を行うことが可能となる。
【００３６】
しかしながら、図１２に示したようにして、ＲＦ信号の振幅レベルが何れか一方に偏って小さくなった場合は、この振幅レベルの低下に対して最大値側、或いは最小値側の何れか一方からしか追従することができず、この場合の値Ｐｅａｋ−Ｂｏｔｔｏｍとしては、固定値「α」、或いは固定値「β」に応じた一定の傾きを有して減少していくようにされてしまう。つまり、この場合の値Ｐｅａｋ−Ｂｏｔｔｏｍとしては、図１１の場合と比較してわかるように、実際のＲＦ信号の振幅レベルの低下に対応するようにして追従することができないものとなる。
【００３７】
このため、従来のデフェクト検出回路１００によっては、このようにしてＲＦ信号の振幅レベルが何れか一方に偏って小さくなった場合、図１１の場合と比較してデフェクト検出タイミングが著しく遅くなってしまう。そして、これによっては、実際のＲＦ信号の振幅レベルが著しく小さくなっているのに対応して正確にデフェクト状態の検出を行うことができなくなる。
【００３８】
【課題を解決するための手段】
そこで、本発明では以上のような問題点に鑑み、デフェクト検出装置として以下のように構成することとした。
すなわち、先ず、記録媒体に対する信号読み出し動作によって得られるＲＦ信号の最大値を検出することにより、検出最大値を得る最大値検出手段と、上記ＲＦ信号の最小値を検出することにより検出最小値を得る最小値検出手段とを備え、さらに、上記最大値検出手段により得られる検出最大値が減少方向にあるとされた場合に、該検出最大値から所要の減算値を減算した減算結果値を求め、該減算結果値を上記ＲＦ信号の最大値として出力する最大値出力手段と、上記最小値検出手段により得られる検出最小値が増加方向にあるとされた場合に、該検出最小値から所要の加算値を加算した加算結果値を求め、該加算結果値を上記ＲＦ信号の最小値として出力する最小値出力手段とを備えるようにする。
そして、上記最大値出力手段により出力された最大値から、上記最小値出力手段により出力された最小値を減算することにより、上記ＲＦ信号の振幅レベルを示すＲＦ振幅値を算出する振幅レベル算出手段と、上記振幅レベル算出手段により算出されたＲＦ振幅値と、所定閾値とを比較することにより、デフェクト状態の検出を行うデフェクト検出手段とを備えるようにする。
その上で、上記最大値検出手段により得られた検出最大値と、上記最小値検出手段により得られた検出最小値とに基づき、上記ＲＦ信号の振幅の中心値を算出する中心値算出手段と、上記中心値算出手段により算出された上記中心値のレベルに応じて、上記最大値出力手段における上記減算値、及び上記最小値出力手段における上記加算値を可変設定する可変値設定手段とを備えるようにした。
【００３９】
また、本発明では、デフェクト検出方法として以下のようにすることとした。つまり、先ず、記録媒体に対する信号読み出し動作によって得られるＲＦ信号の最大値を検出することにより、検出最大値を得る最大値検出手順と、上記ＲＦ信号の最小値を検出することにより検出最小値を得る最小値検出手順とを実行し、さらに、上記最大値検出手順により得られる検出最大値が減少方向にあるとされた場合に、該検出最大値から所要の減算値を減算した減算結果値を求め、該減算結果値を上記ＲＦ信号の最大値として出力する最大値出力手順と、上記最小値検出手順により得られる検出最小値が増加方向にあるとされた場合に、該検出最小値から所要の加算値を加算した加算結果値を求め、該加算結果値を上記ＲＦ信号の最小値として出力する最小値出力手順とを実行する。
そして、上記最大値出力手順により出力された最大値から、上記最小値出力手順により出力された最小値を減算することにより、上記ＲＦ信号の振幅レベルを示すＲＦ振幅値を算出する振幅レベル算出手順と、上記振幅レベル算出手順により算出されたＲＦ振幅値と、所定閾値とを比較することにより、デフェクト状態の検出を行うデフェクト検出手順とを実行し、これと共に、上記最大値検出手順により得られた検出最大値と、上記最小値検出手順により得られた検出最小値とに基づき、上記ＲＦ信号の振幅の中心値を算出する中心値算出手順と、上記中心値算出手順により算出された上記中心値のレベルに応じて、上記最大値出力手順により減算する上記減算値、及び上記最小値出力手順により加算する上記加算値を可変設定する可変値設定手順とを実行することとした。
【００４０】
上記本発明によれば、上記のように算出されるＲＦ信号の振幅の中心値が、上記所定レベルを超えて増加或いは減少し、ＲＦ信号の振幅レベルが最大値側又は最小値側に偏って小さくなっているとされた場合には、これに応じて上記減算値、又は上記加算値が可変されるようになる。
そして、例えば、このようにして可変設定される上記減算値又は上記加算値が、通常よりも大きな値となるようにされていれば、ＲＦ信号の振幅レベルが小さくなるのに伴い、上記最大値の減少幅、或いは上記最小値の増加幅が、通常よりも大きなものとなる。つまり、これに伴っては、これら最大値及び最小値から算出されるＲＦ振幅値としても、その減少幅が大きなものとなる。
これにより、本発明によっては、上記のようにしてＲＦ信号の振幅レベルが最大値側又は最小値側に偏って小さくなった場合に、この振幅レベルの低下傾向に、より沿うようにして上記ＲＦ振幅値を追従させることができるようになる。
【００４１】
【発明の実施の形態】
以下、本発明のデフェクト検出装置が、ディスク記録媒体に記録されているデジタルデータについての再生を行うことのできるディスク再生装置に適用される場合を例に挙げ、実施の形態の説明を行うこととする。
図１は、本発明の実施の形態としてのデフェクト検出装置が適用されるディスク再生装置０の構成を示している。この図に示すディスク再生装置０は、ＣＤ（Ｃｏｍｐａｃｔ　Ｄｉｓｃ）フォーマットの光ディスクとしての、例えばＣＤ、ＣＤ−ＲＯＭ、ＣＤ−Ｒ（Ｒｅｃｏｒｄａｂｌｅ）、ＣＤ−ＲＷ（Ｒｅ−Ｗｒｉｔａｂｌｅ）等のディスクメディアに対応してデータの再生が可能な構成を採る。
【００４２】
この図において、ディスク１は、再生動作時においてスピンドルモータ２によって線速度一定（ＣＬＶ（Ｃｏｎｓｔａｎｔ　Ｌｉｎｅａｒ　Ｖｅｌｏｃｉｔｙ））により回転駆動される。そして光学ヘッド３によってディスク１上のトラックに記録されたピットデータについての読み出しがおこなわれる。
【００４３】
上記のようにしてディスク１からのデータ読み出し動作を行うため、光学ヘッド３はレーザ出力を行うレーザダイオード３ｃや、偏光ビームスプリッタ、１／４波長板などから構成される光学系３ｄ、レーザ出力端となる対物レンズ３ａ、及び反射光を検出するためのディテクタ３ｂなどが備えられている。
対物レンズ３ａは２軸機構４によってディスク半径方向（トラッキング方向）及びディスクに接離する方向に変移可能に保持されており、また、光学ヘッド３全体はスレッド機構５によりディスク半径方向に移動可能とされている。
【００４４】
上記した光学ヘッド３の再生動作により、ディスク１から検出された情報はＲＦアンプ６に供給される。この場合、ＲＦアンプ６においては、入力された情報について増幅処理、及び所要の演算処理等を施すことにより、再生ＲＦ信号、トラッキングエラー信号、フォーカスエラー信号等を得る。
【００４５】
デフェクト（ＤＥＦＥＣＴ）検出回路２０は、上記ＲＦアンプ６より供給される再生ＲＦ信号の振幅レベルと、内部に設定される閾値とを比較し、ＲＦ信号の振幅レベルが閾値以下となる場合を検出する。また、これと共にデフェクト検出回路２０は、この検出結果に応じた信号を、図示する信号ＤＥＦＥＣＴとして例えば後述するＰＬＬ／スピンドルサーボ回路１９等の必要な各部に対して供給するようにされる。
このデフェクト検出回路２０は、再生ＲＦ信号の振幅レベルが閾値以下となったことを検出するのに応じ、上記信号ＤＥＦＥＣＴとして例えばＨレベルを出力することにより、必要な各部に対してデフェクト状態が検出されたことを通知するようにされる。
なお、このデフェクト検出回路２０の内部構成については後述する。
【００４６】
光学系サーボ回路１６では、ＲＦアンプ６から供給されたトラッキングエラー信号、フォーカスエラー信号、及びシステムコントローラ１８からのトッラクジャンプ指令、アクセス指令などに基づいて各種サーボ駆動信号を発生させ、２軸機構４及びスレッド機構５を制御してフォーカス及びトラッキング制御を行う
【００４７】
また、ＲＦアンプ６にて得られた再生ＲＦ信号は、図示する信号処理部７内の２値化回路８に供給されることで、ＥＦＭ方式（８／１４変調）により記録符号化された、いわゆるＥＦＭ信号の形式となって出力され、図のようにレジスタ９、ＰＬＬ／スピンドルサーボ回路１９に対して供給される。
また、トラッキングエラー信号、フォーカスエラー信号は光学系サーボ回路１２に供給される。
【００４８】
上記２値化回路８からレジスタ９を介してＥＦＭデコード回路１０に供給されたＥＦＭ信号は、ここでＥＦＭ復調される。
このＥＦＭデコード回路１０は、入力されたＥＦＭ信号についての復調処理を、後述する検出回路２１から出力される再生用シンク、及び図示するＰＬＬ／スピンドルサーボ回路１９より供給されるＰＬＣＫに応じたタイミングで実行する。
【００４９】
上記ＥＦＭデコード回路１０によりＥＦＭ復調されたデータは、ＥＣＣ／デインターリーブ処理回路１１に供給される。ＥＣＣ／デインターリーブ処理回路１１では、ＲＡＭ１２に対してデータの書き込み及び読み出し動作を所定タイミングで行いながらエラー訂正処理及びデインターリーブ処理を実行していく。ＥＣＣ／デインターリーブ処理回路１２によりエラー訂正処理及びデインターリーブ処理が施されたデータは、後述するバッファマネージャ１３に対して供給される。
【００５０】
ＰＬＬ／スピンドルサーボ回路１９では、２値化回路８から供給されたＥＦＭ信号を入力してＰＬＬ回路を動作させることにより、ＥＦＭ信号に同期した再生クロックとしての信号ＰＬＣＫを出力する。この信号ＰＬＣＫは、マスタークロックとして、信号処理部７内における処理基準クロックとなる。従って、信号処理部７の信号処理系の動作タイミングは、スピンドルモータ２の回転速度に追従したものとなる。
この場合、このＰＬＬ／スピンドルサーボ回路１９には、上記したようにしてデフェクト検出回路２０からの信号ＤＥＦＥＣＴが供給される。そして、この信号ＤＥＦＥＣＴとして、Ｈレベルが供給されている間は、上記信号ＰＬＣＫの周波数をＶＣＯの周波数に固定するようにされる。
つまり、このようにデフェクト状態が検出されている期間は、入力されるＥＦＭ信号に基づいたクロック再生を行わないようにすることで、安定的にクロックの再生を行おうとするものである。
【００５１】
モータドライバ１７は、ＰＬＬ／スピンドルサーボ回路１９から供給された、例えばスピンドルサーボ制御信号に基づいてモータ駆動信号を生成してスピンドルモータ２に供給する。これにより、スピンドルモータ２は、所定の回転制御方式に従った適正な回転速度が得られるようにディスクを回転駆動する。
【００５２】
同期検出回路２１では、ＰＬＬ／スピンドルサーボ回路１９から入力される信号ＰＬＣＫを基準クロックとして、レジスタ９を介して供給されるＥＦＭ信号からフレームシンク（フレーム同期信号）を検出するための動作を行う。
また、この同期検出回路２１では、ドロップアウトやジッターの影響でデータ中のシンクパターンが欠落したり、同じシンクパターンが検出されたりした場合のために、フレームシンクの内挿処理及びウィンドウ保護等の処理も実行するようにされている。
【００５３】
前述のようにして信号処理部７のＥＣＣ／デインターリーブ処理回路１１から出力されたデータは、バッファマネージャ１３に対して供給される。
バッファマネージャ１３では、供給される再生データをバッファＲＡＭ１４に一時蓄積させるためのメモリ制御を実行する。このディスク再生装置０からの再生出力としては、バッファＲＡＭ１４にバファリングされているデータが読み出されて転送出力されることになる。
【００５４】
インターフェイス部１５は、外部のホストコンピュータ５０と接続され、ホストコンピュータ５０との間で再生データや各種コマンド等の通信を行う。
この場合、バッファマネージャ１３がバッファＲＡＭ１４に一時蓄積させた再生データから必要量の読み出しを行い、インターフェイス部１５に対して転送するようにされる。そして、インターフェイス部１５では、転送されてきた再生データを、例えば所定のデータインターフェイスフォーマットに従ってパケット化などの処理を行って、ホストコンピュータ５０に対して送信出力することになる。
なお、ホストコンピュータ５０からのリードコマンド、ライトコマンドその他の信号はインターフェイス部１５を介してシステムコントローラ１８に供給される。
【００５５】
システムコントローラ１８は、マイクロコンピュータ等を備えて構成され、当該再生装置を構成する各機能回路部が実行すべき所要の動作に応じて適宜制御処理を実行する。
【００５６】
なお、この図１では、ホストコンピュータ５０に接続されるディスク再生装置０としたが、本発明のデフェクト検出装置が適用される再生装置としては、ホストコンピュータ５０等と接続されない形態もあり得る。その場合は、操作部や表示部が設けられたり、データ入出力のインターフェイス部位の構成が、図１とは異なるものとなる。つまり、ユーザーの操作に応じて再生が行われるとともに、各種データの入出力のための端子部が形成されればよい。
【００５７】
ここで、前述したデフェクト検出回路２０について、その内部構成を図２のブロック図に示す。
先ず、このデフェクト検出回路２０において、図１に示したＲＦアンプ６より供給される再生ＲＦ信号は、図示するＡ／Ｄ変換器２５においてデジタルデータに変換されて、最大値ホールド回路２６、及び最小値ホールド回路３１に対して供給される。
【００５８】
最大値ホールド回路２６は、このようにしてＡ／Ｄ変換器２５より供給されるＲＦ信号中の一定区間ごとの最大値を検出すると共に、検出された最大値を区間最大値としてホールドする。そして、このようにホールドした区間最大値を所定タイミングで以て最大値セレクタ２７、最大値比較回路２９、及び中心値検出回路３６に対して出力する。
【００５９】
最大値セレクタ２７には、上記最大値ホールド回路２６より出力された区間最大値、及び後述するようにして減算回路３０より出力される減算結果値が入力される。また、これと共にこの最大値セレクタ２７には、後述する最大値比較回路２９からの比較結果信号も入力される。
この最大値セレクタ２７は、最大値比較回路２９より入力される比較結果信号に応じ、入力された区間最大値、減算結果値の何れか一方を、最大値格納回路２８に対して選択出力する。
【００６０】
最大値格納回路２８は、最大値セレクタ２７より出力された区間最大値、或いは減算結果値を入力し、これを格納する。そして、このようにして格納した値を所定タイミングで以て出力することにより、上記格納した区間最大値或いは減算結果値を、図示する値Ｐｅａｋとして減算器３７に対して出力する。また、このようにして最大値格納回路２８より出力された値Ｐｅａｋは、最大値比較回路２９、及び減算回路３０に対しても供給される。
【００６１】
減算回路３０に対しては、図示するように中心値検出回路３６から、減算値としての値「αＡ」、又は値「αＢ」が入力される。
この減算回路３０は、最大値格納回路２８より入力された値Ｐｅａｋに対し、上記のようにして中心値検出回路３６より入力された減算値に応じた減算処理を行う。すなわち、上記中心値検出回路３６より値αＡが入力された場合は、「Ｐｅａｋ−αＡ」で表される減算処理を行う。また、上記中心値検出回路３６から値αＢが入力された場合は、「Ｐｅａｋ−αＢ」で表される減算処理を行う。
そして、減算回路３０は、これらの減算処理により算出した値を減算結果値として最大値セレクタ２７に対して出力する。
【００６２】
最大値比較回路２９は、上記最大値格納回路２８より供給された値Ｐｅａｋと、先に説明したようにして最大値ホールド回路２６より供給される区間最大値とを比較する。つまり、この最大値比較回路２９では、最大値ホールド回路２６における現在の検出区間において検出された区間最大値（現在の最大値）と、この現在の検出区間からみて１つ前の検出区間に対応して最大値格納回路２８より出力された値Ｐｅａｋ（１つ前の最大値）とを比較することとなる。そしてこれにより、この最大値比較回路２９では、ＲＦ信号における現在の最大値が、１つ前の最大値に対して増加しているか、或いは減少しているのかを判別しようとするものである。
【００６３】
この最大値比較回路２９は、上記最大値ホールド回路２６より供給される区間最大値が、上記最大値格納回路２８より供給される値Ｐｅａｋ以上であると判別した場合は、先に説明した最大値セレクタ２７に対し、区間最大値を選択出力させるための比較結果信号を出力する。すなわち、上記最大値ホールド回路２６より供給される現在の最大値が、最大値格納回路２８より供給された１つ前の最大値以上になっているとされた場合は、最大値ホールド回路２６によりホールドされている区間最大値を値Ｐｅａｋとして選択出力させるようにするものである。一方、上記区間最大値の方が、上記値Ｐｅａｋよりも小さいと判別した場合は、最大値セレクタ２７に対し、上記減算回路３０からの減算結果値を選択出力させるための比較結果信号を出力する。すなわち、ＲＦ信号における現在の最大値の方が、１つ前の最大値よりも減少しているとされた場合は、上記減算回路３０からの減算結果値を選択出力させるようにするものである。
【００６４】
最小値ホールド回路３１は、上記Ａ／Ｄ変換器２５より供給されるＲＦ信号中の一定区間ごとの最小値を検出すると共に、検出された最小値を区間最小値としてホールドする。そして、このようにホールドした区間最小値を所定タイミングで以て最小値セレクタ３２、最小値比較回路３４、及び中心値検出回路３６に対して出力する。
【００６５】
ここで、中心値検出回路３６には、先に説明した最大値ホールド回路２６からの区間最大値、及び上記最小値ホールド回路３１からの区間最小値が入力される。
この中心値検出回路３６は、これら区間最大値及び区間最小値から、ＲＦ信号の振幅の中心値を示すＲＦ中心値を算出するようにされる。そして、このようにして算出したＲＦ中心値のレベルに応じ、上記した減算回路３０に対して出力する減算値α、及び後述する加算回路３５に対して出力する加算値βを切り替えるようにされているのであるが、これについては後述する。
【００６６】
最小値セレクタ３２には、上記最小値ホールド回路３１より出力された区間最小値、及び後述するようにして加算回路３５より出力される加算結果値が入力される。また、この最小値セレクタ３２には、後述する最小値比較回路３４からの比較結果信号も入力される。
この最小値セレクタ３２は、最小値比較回路３４より入力される比較結果信号に応じ、入力された区間最小値、加算結果値の何れか一方を、最小値格納回路３３に対して選択出力する。
【００６７】
最小値格納回路３３は、上記のようにして最小値セレクタ３２より出力された区間最小値、或いは加算結果値を入力し、これを格納する。そして、このようにして格納した値を所定タイミングで以て出力することにより、上記格納した区間最小値或いは加算結果値を、図示する値Ｂｏｔｔｏｍとして減算器３７、最小値比較回路３４、及び加算回路３５に対して出力する。
【００６８】
加算回路３５に対しては、上記した中心値検出回路３６から、加算値としての値「βＡ」、又は値「βＢ」が入力される。
この加算回路３５は、上記のようにして最小値格納回路３３より入力された値Ｂｏｔｔｏｍに対し、上記中心値検出回路３６より入力された加算値に応じた加算処理を行う。すなわち、上記中心値検出回路３６より値βＡが入力された場合は、「Ｂｏｔｔｏｍ＋βＡ」で表される加算処理を行う。また、上記中心値検出回路３６から値βＢが入力された場合は、「Ｂｏｔｔｏｍ＋βＢ」で表される加算処理を行う。
そして、加算回路３５は、これらの加算処理により算出した値を加算結果値として最大値セレクタ２７に対して出力する。
【００６９】
最小値比較回路３４は、上記最小値格納回路３３より供給された値Ｂｏｔｔｏｍと、先に説明したようにして最小値ホールド回路３１より供給される区間最小値とを比較する。つまり、この最小値比較回路３４では、最小値ホールド回路３１における現在の検出区間において検出された区間最小値（現在の最小値）と、この現在の検出区間からみて１つ前の検出区間に対応して最小値格納回路３３より出力された値Ｂｏｔｔｏｍ（１つ前の最小値）とを比較することとなる。そしてこれにより、この最小値比較回路３４では、ＲＦ信号における現在の最小値が、１つ前の最小値に対して増加しているか、或いは減少しているのかを判別しようとするものである。
【００７０】
この最小値比較回路３４は、上記最小値ホールド回路３１より供給された区間最小値が、上記最小値格納回路３３より供給された値Ｂｏｔｔｏｍ以下であると判別した場合は、先に説明した最小値セレクタ３２に対し、区間最小値を選択出力させるための比較結果信号を出力する。すなわち、上記最小値ホールド回路３１より供給される現在の最小値が、最小値格納回路３３より供給された１つ前の最小値以下になっているとされた場合は、最小値ホールド回路３１によりホールドされている区間最小値を値Ｂｏｔｔｏｍとして選択出力させるようにするものである。
一方、上記区間最小値の方が、上記値Ｂｏｔｔｏｍよりも大きいと判別した場合は、最小値セレクタ３２に対し、上記加算回路３５からの加算結果値を選択出力させるための比較結果信号を出力する。すなわち、ＲＦ信号における現在の最小値の方が、１つ前の値よりも増加しているとされた場合は、上記加算回路１１５からの加算結果値を選択出力させるようにするものである。
【００７１】
減算器３７は、最大値格納回路２８から出力された値Ｐｅａｋ、及び最小値格納回路３３から出力された値Ｂｏｔｔｏｍを入力し、値Ｐｅａｋから値Ｂｏｔｔｏｍを減算する。そして、このようにして算出した値を図示する値Ｐｅａｋ−Ｂｏｔｔｏｍとしてデフェクト判定回路３９に対して出力する。
【００７２】
デフェクト判定回路３９では、上記減算器３７より入力した値Ｐｅａｋ−Ｂｏｔｔｏｍと、図示するデフェクト閾値３８に設定された値とを比較することにより、デフェクト状態の検出を行う。
このデフェクト判定回路３９は、例えば上記値Ｐｅａｋ−Ｂｏｔｔｏｍが上記デフェクト閾値３８の値以下となるのに応じ、図示する信号ＤＥＦＥＣＴとしてＨレベルを出力するようにされる。
【００７３】
続いて、図３に上記した中心値検出回路３６の内部構成を示す。
図３において、この中心値検出回路３６は、図示するように加算器４０、１／２演算回路４１、中心値比較回路４２、α値切替閾値４３、α値切替回路４４、β値切替閾値４５、中心値比較回路４６、β値切替回路４７を有して構成される。
先ず、図示する加算器４０には、図２に示した最大値ホールド回路２６からの区間最大値、及び最小値ホールド回路３１からの区間最小値がそれぞれ入力される。そして、この加算器４０は、これら区間最大値と区間最小値とを加算した値を１／２演算回路４１に対して出力する。
【００７４】
１／２演算回路４１は、加算器４０により加算された区間最大値と区間最小値との和の値を１／２で乗算することにより、ＲＦ信号の振幅の中心値を示すＲＦ中心値を得るようにされる。
この１／２演算回路４１において、上記のようにして得られるＲＦ中心値としては、例えば図２に示したＡ／Ｄ変換器２５が８ｂｉｔによるＡ／Ｄ変換処理を実行する場合、「０」〜「２５５」の値により示される。
【００７５】
ここで、図４に１／２演算回路４１において得られるＲＦ中心値と、実際のＲＦ信号の振幅との関係について示すが、この際、例えば上記「０〜２５５」の値のうち、「０」側がＲＦ信号の最小の値を示し、「２５５」側がＲＦ信号の最大の値を示すものと設定されているとすると、例えば上記ＲＦ中心値が「０」側に偏っているときは、実際のＲＦ信号としては、図４（ａ）に示すようにして最大値側の振幅レベルが偏って小さくなっていることとなる。
また、これに対し、例えば上記中心値が「２５５」側に偏っているときは、図４（ｂ）に示すようにして最小値側の振幅レベルが偏って小さくなっていることとなる。
従って、上記のようにして１／２演算回路４１において得られたＲＦ中心値を参照することによっては、ＲＦ信号の振幅として、最大値側の振幅レベルが偏って小さくなっているのか、或いは最小値側の振幅レベルが偏って小さくなっているのかを判別することができるようになる。
【００７６】
この１／２演算回路４１において、上記のようにして得られたＲＦ中心値は、図示するようにして中心値比較回路４２、４５に対して出力される。
【００７７】
中心値比較回路４２は、上記１／２演算回路４１より入力されたＲＦ中心値と図示するα値切替閾値４３とを比較することにより、ＲＦ中心値がこの閾値を超えて最小値側に偏っているか否かを判別すると共に、比較結果に応じた２値の比較結果信号をα値切替回路４４に対して出力する。つまり、この中心値比較回路４２では、ＲＦ信号の最大値側の振幅レベルが、或る程度を超えて偏って小さくなっているか否かを判別するようにされるものである。
そして、これと共にこの中心値比較回路４２は、上記比較結果より、ＲＦ中心値の方が、上記α値切替閾値４３の値よりも小さいと判別した場合と、それ以外の場合とで　異なる２値の比較結果信号を上記α値切替回路４４に対して出力するようにされている。
なお、この場合の上記α値切替閾値４３としては、このようにしてＲＦ中心値が最小値側に偏っているか否かを判別することが可能となるように、上記「０」〜「２５５」の値のうち、「０」寄り（最小の値側）となる所定の値に設定される。
【００７８】
α値切替回路４４は、上記中心値比較回路４２より入力される比較結果信号に応じ、図２に示した減算回路３０に対して値「αＡ」又は値「αＢ」を選択出力する。
このα値切替回路４４は、上記中心値比較回路４２により入力された比較結果信号が、ＲＦ中心値がα値切替閾値４３の値以上であることを示すものであった場合は、上記減算回路３０に対し値「αＡ」を出力するようにされる。
一方、上記中心値比較回路４２により入力された比較結果信号が、ＲＦ中心値がα値切替閾値４３の値よりも小さい（ＲＦ信号の最大値側の振幅レベルが或る程度を超えて偏って小さくなっている）ことを示すものであった場合は、上記減算回路３０に対し値「αＢ」を出力するようにされる。
なお、このα値切替回路４４において、上記値「αＡ」、及び上記値「αＢ」は共に正数とされ、且つ「αＡ」＜「αＢ」とされる。従って、この場合、ＲＦ信号の最大値側の振幅レベルが或る程度を超えて偏って小さくなっているとされたときには、減算回路３０における減算値として、上記値「αＡ」よりも値の大きい値「αＢ」が出力されるようになる。
【００７９】
中心値比較回路４５は、上記した１／２演算回路４１より入力されたＲＦ中心値と、図示するβ値切替閾値４６とを比較することにより、ＲＦ中心値がこの閾値を超えて最大値側に偏っているか否かを判別すると共に、比較結果に応じた２値の比較結果信号をβ値切替回路４７に対して出力する。
この中心値比較回路４５は、上記のようにしてＲＦ中心値が閾値を超えて最大値側に偏っているか否かを判別することにより、ＲＦ信号の最小値側の振幅レベルが、或る程度を超えて偏って小さくなっているか否かを判別するようにされている。
そして、これと共にこの中心値比較回路４５は、上記比較結果より、ＲＦ中心値の方が上記α値切替閾値４３の値よりも大きいと判別した場合と、それ以外の場合とで　異なる２値の比較結果信号を上記α値切替閾値４４に対して出力するようにされている。
なお、この場合の上記β値切替閾値４６としては、ＲＦ中心値が最大値側に偏っているか否かを判別することが可能となるように、上記「０」〜「２５５」の値のうち、「２５５」寄り（最大の値側）となる所定の値に設定される。
【００８０】
β値切替回路４７は、上記中心値比較回路４５より入力される比較結果信号に応じ、図２に示した加算回路３５に対して値「βＡ」又は値「βＢ」を選択出力する。
このβ値切替回路４７は、上記中心値比較回路４５により入力された比較結果信号が、ＲＦ中心値がβ値切替閾値４６の値以下であることを示すものであった場合は、上記加算回路３５に対して、値「βＡ」を出力するようにされる。
一方、上記中心値比較回路４５により入力された比較結果信号が、ＲＦ中心値がβ値切替閾値４６の値よりも大きい（ＲＦ信号の最小値側の振幅レベルが或る程度を超えて偏って小さくなっている）ことを示すものであった場合は、上記加算回路３５に対して、値「βＢ」を出力するようにされる。
なお、この場合も、上記値「βＡ」、及び上記値「βＢ」としては正数とされると共に、「βＡ」＜「βＢ」とされる。従って、この場合は、ＲＦ信号の最小値側の振幅レベルが或る程度を超えて偏って小さくなっているとされた際には、加算回路３５における加算値として、上記値「βＡ」よりも大きい値「βＢ」が出力されるようになる。
【００８１】
上記のようにして構成されるデフェクト検出回路２０において得られる動作を、次の図５〜図６を用いて説明する。
先ず、図５を参照し、ＲＦ信号の最大値側の振幅レベルの方が、最小値側よりも大幅に偏って小さくなる場合に対応してデフェクト検出回路２０において得られる動作について説明する。
この図において、図示する値Ｐｅａｋ、値Ｂｏｔｔｏｍは、それぞれ図２において説明した最大値格納回路２８、最小値格納回路３３より出力される値を表しており、ここでは説明の便宜上、値Ｂｏｔｔｏｍが一定レベルで得られている場合を示している。すなわち、この図５では、説明の便宜上、ＲＦ信号の最小値側の振幅レベルが一定とされ、最大値側の振幅レベルのみが大幅に小さくなる場合を例に挙げるものである。
【００８２】
また、図示する値Ｐｅａｋ−Ｂｏｔｔｏｍは、図２に示した減算器３７により算出される値であり、この場合は上記のように値Ｂｏｔｔｏｍが一定とされるため、図示するように値Ｐｅａｋとほぼ同一の値で遷移するようにされる。
ＲＦ信号は、図１において説明したＲＦアンプ６により生成される信号を示し、また、ＲＦ中心値は、図３に示した１／２演算回路４１において算出されるＲＦ信号の振幅の中心値を示している。
デフェクト閾値、α値切替閾値は、それぞれ図２に示すデフェクト閾値３８、図３に示したα値切替閾値４３に設定される値であり、ここでは、これらデフェクト閾値、α値切替閾値が図示するように同一の値に設定される場合が示されている。
また、信号ＤＥＦＥＣＴは、図２に示したデフェクト判定回路３９により出力される信号である。
【００８３】
先ず、図５において、図示する時点ｔ１以前の期間においては、ＲＦ信号の振幅レベルとして、最大値側及び最小値側とも最大のレベルでほぼ一定して遷移している。このため、この期間では、最大値格納回路２８より出力される値Ｐｅａｋ、及び最小値格納回路３３より出力される値Ｂｏｔｔｏｍとして、最大値ホールド回路２６、及び最小値ホールド回路３１によりそれぞれ検出された区間最大値、及び区間最小値が出力されることとなる。
【００８４】
上記時点ｔ１以降における時点ｔ２において、図示するように、ＲＦ信号の最大値側の振幅レベルのみが小さくなったとする。
すると、これに応じては、図２に示した最大値比較回路２９において、１つ前に出力された値Ｐｅａｋよりも、この時点ｔ２において検出された区間最大値の方が小さいことが判別されるようになる。そして、これに伴っては、最大値セレクタ２７において、減算回路３０からの減算結果値が選択出力されるようになる。
つまり、この時点ｔ２以降では、このように選択出力された減算結果値が、最大値格納回路２８を介して値Ｐｅａｋとして出力されるようになる。
また、これと共に、この時点ｔ２において、上記のようにしてＲＦ信号の最大値側の振幅レベルのみが小さくなることによっては、最大値ホールド回路２６において検出される区間最大値としても、時点ｔ１における区間最大値より小さくなる。そして、これに伴っては、図３において説明した中心値検出回路３６内の１／２演算回路４１において得られるＲＦ中心値としても、その値が減少することとなる。
【００８５】
ここで、時点ｔ２以降、時点ｔ３までの期間では、上記ＲＦ中心値としては、図示するようにしてα値切替閾値４３の値を上回っている状態にある。従って、図３に示した中心値比較回路４２からは、α値切替回路４４に対し、ＲＦ中心値がα値切替閾値４３の値以上であることを示す比較結果信号が出力されるようになり、これに応じてα値切替回路４４においては、減算回路３０に対して出力する減算値として、値「αＡ」の方を選択出力するようにされる。
このため、この時点ｔ２−時点ｔ３の期間において、上記のようにして最大値格納回路２８より出力される値Ｐｅａｋとしての比較結果値としては、１つ前の値Ｐｅａｋから上記値「αＡ」を減算した値が出力されることとなる。
つまり、この期間においては、値「αＡ」に応じた傾きを有して値Ｐｅａｋ−Ｂｏｔｔｏｍが減少していくこととなる。
【００８６】
続いて、この時点ｔ２以降における時点ｔ３において、図示するようにしてＲＦ中心値が、α値切替閾値を下回ったとする。
すると、これに応じては、上記した場合とは逆に、上記中心値比較回路４２からα値切替回路４４に対し、ＲＦ中心値がα値切替閾値４３の値よりも小さい（ＲＦ信号の最大値側の振幅レベルが偏って低下している）ことを示す比較結果信号が出力されるようになる。そして、これに応じてα値切替回路４４においては、減算回路３０に対して出力する減算値として、上記値「αＡ」よりも大きい値「αＢ」の方を選択出力するようにされる。
このため、この時点ｔ３以降の期間において、上記のようにして最大値格納回路２８より出力される値Ｐｅａｋとしての比較結果値としては、１つ前の値Ｐｅａｋから上記値「αＢ」を減算した値が出力されることとなる。
つまり、この時点ｔ３以降において出力される値Ｐｅａｋ−Ｂｏｔｔｏｍとしては、上記値「αＡ」に応じた傾きよりも、図示するようにより大きい傾きを有して（より大きい減少幅で以て）減少していくこととなる。
この結果、上記のようにしてＲＦ中心値がα値切替閾値４３を下回り、ＲＦ信号の最大値側の振幅レベルが或る程度を超えて偏って小さくなっているとされた場合は、値Ｐｅａｋ−Ｂｏｔｔｏｍを、実際のＲＦ信号の振幅レベルの低下傾向に、より近くなるようにして追従させることができるようになる。
【００８７】
このように減算回路３５に対して入力される減算値αが値「αＡ」から値「αＢ」に切り替えられた時点ｔ３以降の図中時点ｔ４において、図示するようにして値Ｐｅａｋ−Ｂｏｔｔｏｍがデフェクト閾値を下回ったとする。
すると、図２に示したデフェクト判定回路３９においては、減算器３７から入力される値Ｐｅａｋ−Ｂｏｔｔｏｍが、デフェクト閾値３８を下回ったことが判別される。そして、これに応じては、このデフェクト判定回路３９からは、図示するようにＨレベルとなる信号ＤＥＦＥＣＴが出力される。
【００８８】
このようなＨレベルの信号ＤＥＦＥＣＴの出力は、上記デフェクト判定回路３９により値Ｐｅａｋ−Ｂｏｔｔｏｍがデフェクト閾値以上となったことが判別される時点ｔ６まで継続することとなる。つまり、上記時点ｔ４〜時点ｔ６までの期間が、ＤＥＦＥＣＴ期間となるものである。
なお、図中時点ｔ５以降において、図示するようにしてＲＦ信号の最大値側の振幅レベルが大きくなっていく（ＲＦ信号の最大値が増加方向となる）のに伴っては、値Ｐｅａｋとして、先に図２において説明したように最大値ホールド回路２６により検出される区間最大値が選択出力されるようになる。このため、この時点ｔ５以降における値Ｐｅａｋとしては、ＲＦ信号の最大値レベルの変動にほぼ追従するものとなり、これと同時に値Ｐｅａｋ−Ｂｏｔｔｏｍとしても、図示するようにＲＦ信号の最大値レベルの変動にほぼ追従して増加するものとなる。
【００８９】
続いて、図６を参照し、ＲＦ信号の最小値側の振幅レベルの方が、最大値側よりも大幅に偏って小さくなる場合に対応してデフェクト検出回路２０において得られる動作について説明する。
なお、説明の便宜上、この図においても、ＲＦ信号の最大値側の振幅レベルが一定とされ、最小値側の振幅レベルのみが大幅に小さくなる場合を例に挙げることとする。
また、この図において、図示するβ値切替閾値は、図３に示したβ値切替閾値４５の値を示している。
【００９０】
先ず、図６において、図示する時点ｔ１以前の期間においては、ＲＦ信号の振幅レベルとして、最大値側及び最小値側とも最大のレベルでほぼ一定して遷移している。このため、この期間としても、最大値格納回路２８より出力される値Ｐｅａｋ、及び最小値格納回路３３より出力される値Ｂｏｔｔｏｍとして、最大値ホールド回路２６、及び最小値ホールド回路３１によりそれぞれ検出された区間最大値、及び区間最小値が出力されることとなる。
【００９１】
上記時点ｔ１以降における時点ｔ２において、図のようにＲＦ信号の最小値側の振幅レベルのみが偏って小さくなったとする。
すると、この場合は、図２に示した最小値比較回路３４において、１つ前に出力された値Ｂｏｔｔｏｍよりも、この時点ｔ２において検出された区間最小値の方が大きくなったことが判別されるようになり、最小値格納回路３３からの値Ｂｏｔｔｏｍとしては、加算回路３５からの加算結果値が出力されるようになる。また、これと共に、この場合は、最小値ホールド回路３１において検出される区間最小値が、時点ｔ１における区間最小値より大きくなることに伴い、図３に示した中心値検出回路３６内の１／２演算回路４１において得られるＲＦ中心値としても、その値が増加することとなる。
【００９２】
ここで、時点ｔ２以降、時点ｔ３までの期間では、上記ＲＦ中心値としては、図示するようにしてβ値切替閾値４５の値を未だ下回っている。従って、図３に示した中心値比較回路４６からは、β値切替回路４７に対し、ＲＦ中心値がβ値切替閾値４５の値よりも小さいことを示す比較結果信号が出力されるようになり、これに応じてβ値切替回路４７においては、加算回路３５に対して出力する加算値として、値「βＡ」の方を選択出力するようにされる。
このため、この時点ｔ２−時点ｔ３の期間において、上記のようにして最小値格納回路３３より出力される値Ｂｏｔｔｏｍとしての比較結果値としては、１つ前の値Ｂｏｔｔｏｍに対し、上記値「βＡ」を加算した値が出力されることとなる。
つまり、この期間における値Ｐｅａｋ−Ｂｏｔｔｏｍとしては、このように値Ｂｏｔｔｏｍが上記値「βＡ」に応じた増加幅で以て増加していくのに伴い、この値「βＡ」に応じた傾きを有して減少していくこととなる。
【００９３】
続いて、この時点ｔ２以降における時点ｔ３において、図示するようにしてＲＦ中心値が、β値切替閾値を上回ったとする。
すると、これに応じては、上記した場合とは逆に、上記中心値比較回路４６からβ値切替回路４７に対し、ＲＦ中心値がβ値切替閾値４５の値よりも大きい（ＲＦ信号の最大値側の振幅レベルが偏って低下している）ことを示す比較結果信号が出力されるようになる。そして、これに応じてβ値切替回路４７においては、加算回路３５に対して出力する加算値として、上記値「βＡ」よりも大きい値「βＢ」の方を選択出力するようにされる。
このため、この時点ｔ３以降の期間において、上記のようにして最小値格納回路３３より出力される値Ｂｏｔｔｏｍとしての比較結果値としては、１つ前の値Ｂｏｔｔｏｍに対して上記値「βＢ」を加算した値が出力されることとなる。
つまり、この時点ｔ３以降において出力される値Ｐｅａｋ−Ｂｏｔｔｏｍとしては、上記値「βＡ」に応じた傾きよりも、図示するようにより大きい傾きを有して（より大きい減少幅で以て）減少していくこととなる。
この結果、上記のようにしてＲＦ中心値がβ値切替閾値４５を上回り、ＲＦ信号の最小値側の振幅レベルが偏って低下しているとされた場合は、値Ｐｅａｋ−Ｂｏｔｔｏｍを、実際のＲＦ信号の振幅レベルの低下傾向により近くなるようにして追従させることができるようになる。
【００９４】
なお、この場合も、この時点ｔ３以降の時点ｔ４において、図示するように値Ｐｅａｋ−Ｂｏｔｔｏｍがデフェクト閾値を下回った場合は、デフェクト判定回路３９よりＨレベルとなる信号ＤＥＦＥＣＴが出力されるようになる。そして、このようなＨレベルの信号ＤＥＦＥＣＴの出力は、図示する時点ｔ６において、デフェクト判定回路３９により値Ｐｅａｋ−Ｂｏｔｔｏｍがデフェクト閾値を上回ったことが判別されるまで継続され、従って時点ｔ４〜時点ｔ６までの期間が図示するようにＤＥＦＥＣＴ検出期間となる。
また、この場合も、図中時点ｔ５以降において、図示するようにＲＦ信号の最小値側の振幅レベルが大きくなっていく（ＲＦ信号の最小値が減少方向となる）のに伴っては、値Ｂｏｔｔｏｍとして、最小値ホールド回路３１により検出される区間最小値が選択出力されるようになる。このため、この場合も、時点ｔ５以降における値Ｂｏｔｔｏｍとしては、ＲＦ信号の最小値レベルの変動にほぼ追従するものとなり、これに伴い値Ｐｅａｋ−Ｂｏｔｔｏｍとしても、ＲＦ信号の振幅レベルの変動にほぼ追従して増加するものとなる。
【００９５】
ここで、図７、及び図８を用いて、本実施の形態としてのデフェクト検出回路２０において得られる動作と、先に図１０において示した従来のデフェクト検出回路１００において得られる動作とを比較してみる。
先ず、図７に、先の図５の場合と同一のＲＦ信号が得られた場合について、上記デフェクト検出回路２０、及びデフェクト検出回路１００において得られる動作を比較した図を示す。
この図において、先にも説明したように従来のデフェクト検出回路１００においては、図のようにしてＲＦ信号の最大値が減少方向にある場合は、常に固定値「α」に応じた減少幅で以て値Ｐｅａｋ−Ｂｏｔｔｏｍが減少していくようにされる。
従って、従来のデフェクト検出回路１００によっては、このようにＲＦ信号の最大値側の振幅レベルのみが偏って小さくなった場合に、値Ｐｅａｋ−Ｂｏｔｔｏｍを一定の傾きで以て減少させることしかできず、実際のＲＦ信号の振幅レベルの低下傾向に沿うようにして追従させることができない。
【００９６】
これに対し、本実施の形態のデフェクト検出回路２０では、先に説明したように図示する時点ｔ３において、ＲＦ中心値がα値切替閾値４３を下回ったことが検出されるのに応じ、図示するようにして値Ｐｅａｋ−Ｂｏｔｔｏｍの傾きが、値「αＡ」に応じたものから、値「αＢ」に応じたものに変化することとなる。つまり、このようにしてＲＦ中心値が最小値側に偏り、ＲＦ信号の最大値側の振幅レベルが或る程度を超えて偏って小さくなっていることが検出された場合は、上記値Ｐｅａｋ−Ｂｏｔｔｏｍの傾きとして、値「αＡ」よりも大きい値「αＢ」に応じたものに切り替えることができるようになるものである。
このため、本実施の形態のデフェクト検出回路２０によっては、この時点ｔ３以降の期間において、値Ｐｅａｋ−Ｂｏｔｔｏｍを実際のＲＦ信号の振幅レベルの低下傾向により忠実に追従させることができる。
【００９７】
これにより、本実施の形態のデフェクト検出回路２０では、従来のデフェクト検出回路１００によりデフェクト状態が検出されるタイミングである時点ｔ４ａと比較して、より早い時点ｔ４においてデフェクト状態の検出を行うことができるようになる。
そして、図中に信号ＤＥＦＥＣＴ１と示す本実施の形態のデフェクト検出回路２０において得られる信号ＤＥＦＥＣＴと、ＤＥＦＥＣＴ２として示す従来のデフェクト検出回路１００において得られる信号ＤＥＦＥＣＴとを比較してもわかるように、従来では、時点ｔ４以降の時点ｔ４ａから時点ｔ６までしかデフェクト検出期間とならないのに対し、本実施の形態では、時点ｔ４から時点ｔ６までの比較的長い期間にわたってデフェクト検出期間を得ることができるようになる。
【００９８】
図８には、先の図６の場合と同一のＲＦ信号が得られた場合について、上記デフェクト検出回路２０、及びデフェクト検出回路１００において得られる動作を比較した図を示す。
この場合も、従来のデフェクト検出回路１００においては、図のようにしてＲＦ信号の最小値が増加方向にある場合は、常に固定値「β」に応じた増加幅で以て値Ｐｅａｋ−Ｂｏｔｔｏｍが増加していくようにされる。
従って、従来のデフェクト検出回路１００によっては、このようにＲＦ信号の最小値側の振幅レベルのみが偏って小さくなった場合に、値Ｐｅａｋ−Ｂｏｔｔｏｍを一定の傾きで以て増加させることしかできず、実際のＲＦ信号の振幅レベルの低下傾向に沿うようにして追従させることができない。
【００９９】
これに対し、本実施の形態のデフェクト検出回路２０では、先に説明したように図示する時点ｔ３において、ＲＦ中心値がβ値切替閾値４５を上回ったことが検出されるのに応じ、図示するようにして値Ｐｅａｋ−Ｂｏｔｔｏｍの傾きが、値「βＡ」に応じたものから、値「βＢ」に応じたものに変化することとなる。このため、本実施の形態のデフェクト検出回路２０によっては、この時点ｔ３以降の期間において、値Ｐｅａｋ−Ｂｏｔｔｏｍを実際のＲＦ信号の振幅レベルの低下傾向により沿うようにして追従させることができる。
【０１００】
従って、この場合も、本実施の形態のデフェクト検出回路２０では、従来のデフェクト検出回路１００においてデフェクト状態が検出されるタイミングである時点ｔ４ａと比較して、より早い時点ｔ４においてデフェクト状態の検出を行うことができるようになる。
そして、この場合も、図示するように従来では時点ｔ４以降の時点ｔ４ａから時点ｔ６までしかデフェクト検出期間を得ることができないのに対し、本実施の形態では、時点ｔ４から時点ｔ６までの比較的長い期間にわたってデフェクト検出期間を得ることができるようになる。
【０１０１】
ところで、これまでの説明では、本実施の形態としてのデフェクト検出回路２０において得られる動作として、ＲＦ信号の振幅レベルが最大値側、或いは最小値側のどちらか一方に大幅に偏って小さくなった場合について説明したが、ここで、次の図９を用い、ＲＦ信号の最大値側及び最小値側の双方の振幅レベルが小さくなった場合について考察してみる。
この図９において、先ず、図９（ａ）に示すように、ＲＦ信号の最大値側及び最小値側の双方の振幅レベルが小さくなっている場合は、値Ｐｅａｋが減少すると共に、値Ｂｏｔｔｏｍも増加していくこととなる。
つまり、この場合は、ＲＦ信号の最大値側及び最小値側の双方から振幅レベルの低下に対して追従することができるものであり、このために、図示する値Ｐｅａｋ−Ｂｏｔｔｏｍを比較的大きな減少幅で以て減少させることができる。
従って、この場合は、従来のように値Ｐｅａｋの減少幅、及び値Ｂｏｔｔｏｍの増加幅を固定としても、値Ｐｅａｋ−Ｂｏｔｔｏｍを実際のＲＦ信号の振幅レベルの低下に比較的沿った形で追従させることができる。
【０１０２】
しかしながら、ここで、例えば図示するＲＦ中心値が、α値切替閾値４３、或いはβ値切替閾値４５を超えて低下又は上昇した場合について考えてみると、本実施の形態のデフェクト検出回路２０では、このような場合は減算値α又は加算値βがより大きいな値に可変されることにより、値Ｐｅａｋの減少幅、又は値Ｂｏｔｔｏｍの増加幅が増加するようにされる。そして、これに伴っては、値Ｐｅａｋ−Ｂｏｔｔｏｍとしても、その減少幅が増加することとなる。
【０１０３】
この場合における本実施の形態のデフェクト検出回路２０と従来のデフェクト検出回路１００とにおける動作を比較する図を図９（ｂ）に示すが、上記のようにＲＦ中心値がα値切替閾値４３或いはβ値切替閾値４５を超えたことが検出された時点を時点ｔｎとすると、従来のデフェクト検出回路１００における値Ｐｅａｋ−Ｂｏｔｔｏｍとしては、時点ｔｎ以降においても、この時点ｔｎ以前の減少幅が維持されることとなる。
これに対し、本実施の形態のデフェクト検出回路２０では、この時点ｔｎ以降において、減算値α又は加算値βがより大きい値に切り替えられることにより、値Ｐｅａｋ−Ｂｏｔｔｏｍの減少幅がこの時点ｔｎ以前よりも増加することとなる。
つまり、本実施の形態のデフェクト検出回路２０によっては、このようにＲＦ信号の最大値側及び最小値側の双方の振幅レベルが小さくなった場合であっても、ＲＦ中心値がα値切替閾値４３、或いはβ値切替閾値４５を超えて低下又は上昇した場合には、図示するように従来よりも早くデフェクト状態の検出を行うことができるようになるものである。
【０１０４】
以上、本実施の形態のデフェクト検出回路２０について説明した。
上述もしたように、本実施の形態のデフェクト検出回路２０では、中心値検出回路３６が設けられ、ＲＦ信号の振幅の中心値を示すＲＦ中心値が算出される。そして、これと共に、この中心値検出回路３６によっては、例えば算出したＲＦ中心値のレベルが、α値切替閾値４３を上回ったことが検出された場合は、減算回路３０における減算値を、値αＡよりも大きい値αＢに切り替える動作が得られるようになる。また、例えば算出したＲＦ中心値のレベルが、β値切替閾値４５を下回ったことが検出された場合は、加算回路３５における加算値を、値βＡよりも大きい値βＢに切り替える動作が得られるようになる。
【０１０５】
これにより、本実施の形態のデフェクト検出回路２０においては、上記のようにＲＦ中心値のレベルがα値切替閾値４３又はβ値切替閾値４５を超え、ＲＦ信号の振幅レベルの最大値側又は最小値側のどちらか一方が偏って小さくなっていることが検出された場合には、ＲＦ信号の振幅レベルを示す値Ｐｅａｋ−Ｂｏｔｔｏｍの減少幅を増大させることができるようなる。
そして、このようにして値Ｐｅａｋ−Ｂｏｔｔｏｍの減少幅を増大させることができるようになることにより、ＲＦ信号の振幅レベルの最大値側又は最小値側のどちらか一方が偏って小さくなっていることが検出された場合に、値Ｐｅａｋ−Ｂｏｔｔｏｍを、実際のＲＦ信号の振幅レベルの低下傾向により近くなるようにして追従させることが可能となる。
【０１０６】
また、これと共に、本実施の形態のデフェクト検出回路２０は、これまでの説明からも理解されるように、ＲＦ信号から検出される区間最大値、区間最小値をそのまま利用する構成を採るのではなく、値Ｐｅａｋ及び値Ｂｏｔｔｏｍを実際のＲＦ信号の振幅レベルの低下にはそのまま追従させないようにされているものである。すなわち、ＲＦ信号の振幅レベルが突発的に変動した場合等における、デフェクト誤検出が防止されているものでもある。
【０１０７】
この結果、本実施の形態のデフェクト検出回路２０によっては、従来のデフェクト誤検出防止機能を維持しつつ、ＲＦ信号の振幅レベルの最大値側又は最小値側のどちらか一方が偏って小さくなった場合におけるデフェクト検出精度を、従来よりも大幅に向上させることができるようになる。
【０１０８】
このようにして、従来よりもデフェクト状態の検出精度を向上させることができるようになることで、例えばＲＦ信号をＡ／Ｄ変換する際のサンプリング周波数を或る程度下げたとしても、従来と同程度の精度によるデフェクト検出を行うことが可能となる。
【０１０９】
なお、上記実施の形態では、本発明のデフェクト検出装置が適用される再生装置として、ＣＤフォーマットの光ディスクに対応するディスク再生装置０を例に挙げた。しかしながら、本発明のデフェクト検出装置としては、これ以外にも、例えばＤＶＤ（Ｄｉｇｉｔａｌ　Ｖｅｒｓａｔｉｌｅ　Ｄｉｓｃ）、ＭＤ（Ｍｉｎｉ　Ｄｉｓｃ：光磁気ディスク）等のフォーマットのディスクに対応する再生装置に適用することができる。
また、更にはディスクメディアに対応する再生装置以外にも、例えばデジタルデータが記録されたテープ状記録媒体に対応する再生装置などをはじめ、記録媒体から読み出された信号がＲＦ信号として得られたうえで、記録媒体上のデフェクト（傷、付着物等）に起因してＲＦ信号の振幅が小さくなるような特性が得られる再生装置全般に適用可能である。
【０１１０】
また、本実施の形態では、ＲＦ中心値のレベルの変化に応じて可変する減算値α、及び加算値βとして、Ａ、Ｂの２値のみを設定するようにしたが、これら減算値α、及び加算値βとしては、３値以上が設定されても構わないものである。すなわち、図３において示したα値切替閾値４３、及びβ値切替閾値４５に、それぞれ２値以上の異なる閾値を設けるようにし、ＲＦ中心値が１つ目の閾値を超えるのに応じて、上記減算値α又は加算値βをより大きい値に切り替えるようにすると共に、さらに２つ目の閾値を超えるのに応じて、上記減算値α又は加算値βをさらに大きい値に切り替えるようにするものである。
このようにすることで、ＲＦ信号の振幅レベルが最大値側或いは最小値側の何れか一方に偏って低下した場合に、その偏りの程度に応じて値Ｐｅａｋ−Ｂｏｔｔｏｍの減少幅を増大させることが可能となる。
つまり、このように振幅レベルの低下の偏りに応じて、値Ｐｅａｋ−Ｂｏｔｔｏｍの減少幅を増大させるようにすることで、この値Ｐｅａｋ−Ｂｏｔｔｏｍを、実際のＲＦ信号の振幅レベルの低下にさらに忠実に追従させることができるようになるものである。
これにより、この変形例によっては、さらに高精度によるデフェクト検出を行うことができるようになる。
【０１１１】
【発明の効果】
以上で説明したように本発明では、ＲＦ信号から検出された区間最大値が減少方向にある場合には、区間最大値から所要の減算値（値α）を減算した減算結果値を最大値（値Ｐｅａｋ）として出力するようにしている。また、これと共に、ＲＦ信号から検出された区間最小値が増加方向にある場合には、区間最小値から所要の加算値（値β）を加算した加算結果値を最小値（値Ｂｏｔｔｏｍ）として出力するようにしている。
そして、上記のようにして出力された最大値から、最小値を減算することで、ＲＦ信号の振幅レベルを示すＲＦ振幅値（値Ｐｅａｋ−Ｂｏｔｔｏｍ）を求めるようにし、これにより、実際のＲＦ信号の振幅レベルが突発的に変動した場合のデフェクト誤検出を防止できるようにしている。
【０１１２】
このようにした上で、本発明では、ＲＦ信号の振幅の中心値が、所定レベルを超えて増加或いは減少して、ＲＦ信号の振幅レベルが最大値側又は最小値側に偏って低下しているとされた場合に、これに応じて上記減算値、又は上記加算値を可変設定するようにしている。
そして、例えば、このようにして可変する上記減算値又は上記加算値を、通常よりも大きな値となるように設定すれば、ＲＦ信号の振幅レベルの低下に伴う上記最大値の減少幅、或いは上記最小値の増加幅を、通常よりも大きなものとすることができるようになる。つまり、これに伴っては、これら最大値及び最小値から算出されるＲＦ振幅値としても、その減少幅を大きくすることができるようになる。
【０１１３】
以上の結果、本発明によっては、ＲＦ信号の振幅レベルの最大値側又は最小値側が偏って小さくなった場合に、この振幅レベルの低下傾向により忠実にＲＦ振幅値を追従させることができる共に、前述したようなデフェクト誤検出を防止することもできるようになる。
つまり、本発明によっては、従来のデフェクト誤検出防止機能を維持しつつ、デフェクト状態の検出をより高精度に行うことができるようになる。
【図面の簡単な説明】
【図１】本発明における、実施の形態のデフェクト検出装置が適用されるディスク再生装置内部の構成例を示すブロック図である。
【図２】実施の形態としてのデフェクト検出装置内部の構成例を示すブロック図である。
【図３】実施の形態としてのデフェクト検出装置内に構成される中心値検出回路内部の構成例を示すブロック図である。
【図４】ＲＦ信号の振幅レベルが、最小値側、最小値側に偏って低下した場合について説明する図である。
【図５】実施の形態としてのデフェクト検出装置において得られる動作を説明するための図である。
【図６】実施の形態としてのデフェクト検出装置において得られる動作を説明するための図である。
【図７】実施の形態としてのデフェクト検出装置において得られる動作について、従来との比較を説明する図である。
【図８】実施の形態としてのデフェクト検出装置において得られる動作について、従来との比較を説明する図である。
【図９】実施の形態としてのデフェクト検出装置において得られる動作について、ＲＦ信号の最大値側及び最大値側の双方の振幅レベルが低下した場合について説明する図である。
【図１０】従来のデフェクト検出装置内部の構成を示すブロック図である。
【図１１】従来のデフェクト検出装置において得られる動作を説明するための図である。
【図１２】従来のデフェクト検出装置において得られる動作を説明するための図である。
【符号の説明】
０　ディスク再生装置、１　ディスク、２　スピンドルモータ、３　光学ヘッド、３ａ　対物レンズ、３ｂ　ディテクタ、３ｃ　レーザダイオード、３ｄ　光学系、４　２軸機構、５　スレッド機構、６　ＲＦアンプ、７　信号処理部、８２値化回路、９　レジスタ、１０　ＥＦＭデコード回路、１１　ＥＣＣ／デインターリーブ回路、１２　ＲＡＭ、１３　バッファマネージャ、１４　バッファＲＡＭ、１５　インターフェイス部、１６　光学系サーボ回路、１７　モータドライバ、１８　システムコントローラ、１９　ＰＬＬ／スピンドルサーボ回路、２０　デフェクト検出回路、２１　同期検出回路、２５　Ａ／Ｄ変換器、２６　最大値ホールド回路、２７　最大値セレクタ、２８　最大値格納回路、２９　最大値比較回路、３０　減算回路、３１　最小値ホールド回路、３２　最小値セレクタ、３３　最小値格納回路、３４　最小値比較回路、３５　加算回路、３６　中心値検出回路、３７　減算器、３８　デフェクト閾値、３９　デフェクト判定回路、４０　加算器、４１　１／２演算回路、４２　中心値比較回路、４３　α値切替閾値、４４　α値切替回路、４５　β値切替閾値、４６　中心値比較回路、４７　β値切替回路
【図１】
2004071045.tif 000003
【図２】
2004071045.tif 000004
【図３】
2004071045.tif 000005
【図４】
2004071045.tif 000006
【図５】
2004071045.tif 000007
【図６】
2004071045.tif 000008
【図７】
2004071045.tif 000009
【図８】
2004071045.tif 000010
【図９】
2004071045.tif 000011
【図１０】
2004071045.tif 000012
【図１１】
2004071045.tif 000013
【図１２】
2004071045.tif 000014